(57)【要約】  【課題】  複数のページからなる画像ファイルの閲覧を容易にする画像表示装置を提供する。  【解決手段】  画像表示装置２は、自動ページ送り（ぱらぱらめくり）により電子文書を閲覧する場合に、レイヤ構造で構成された電子文書の符号データの中から、一部のレイヤの符号データのみを抽出し、抽出された符号データを復号化して、一部のレイヤに割り当てられた画像要素のみを要約画像として表示する。この場合に、レイヤに割り当てられる画像要素を変えることにより、要約画像として表示する内容を柔軟に選択することが可能になる。【選択図】図２
2005346519.tif 000002
【特許請求の範囲】
【請求項１】
複数のレイヤごとに符号化された入力画像の符号データに基づいて画像を表示する画像表示装置であって、
入力画像を構成する一部のレイヤの符号データを画像データに復号化する復号化手段と、
前記復号化手段により復号化された画像データに基づいて画像要素を表示する表示手段と
を有する画像表示装置。
【請求項２】
前記復号化手段は、複数の入力画像からなる電子文書について、入力画像それぞれの一部のレイヤの符号データを復号化し、
前記表示手段は、前記復号化手段により復号化された画像データそれぞれに基づいて、それぞれの入力画像の画像要素を連続的に表示する
請求項１に記載の画像表示装置。
【請求項３】
複数の色成分からなる入力画像から、一部の色成分の画像データを抽出するデータ抽出手段と、
前記データ抽出手段により抽出された一部の色成分の画像データに基づいて、入力画像の内容を想起させる要約画像を表示する表示手段と
を有する画像表示装置。
【請求項４】
前記データ抽出手段は、入力画像から、輝度成分に相当する画像データを抽出し、
前記表示手段は、抽出された輝度成分の画像データに基づいて、要約画像を表示する
請求項３に記載の画像表示装置。
【請求項５】
前記データ抽出手段は、入力画像から、圧縮率が最も高い色成分の画像データを抽出し、
前記表示手段は、抽出された色成分の画像データに基づいて、要約画像を表示する
請求項３に記載の画像表示装置。
【請求項６】
入力画像の部分領域毎に、文字画像の密度を算出する密度算出手段と、
前記密度算出手段により算出された文字画像の密度に応じて、部分領域毎に濃度値を選択する濃度値選択手段と、
前記濃度値選択手段により部分領域毎に選択された濃度値を用いて、それぞれの部分領域を想起させる要約画像を表示する表示手段と
を有する画像表示装置。
【請求項７】
入力画像の部分領域それぞれの画像データの符号量を算出する符号量算出手段と、
前記符号量算出手段により算出された部分領域の符号量に応じて、部分領域毎に濃度値を選択する濃度値選択手段と、
前記濃度値選択手段により部分領域毎に選択された濃度値を用いて、それぞれの部分領域を想起させる要約画像を表示する表示手段と
を有する画像表示装置。
【請求項８】
入力画像に含まれる文字画像の中から、大きさが基準値以上である文字画像を選択する部分画像選択手段と、
前記部分画像選択手段により選択された文字画像を用いて、入力画像の内容を想起させる要約画像を表示する表示手段と
有する画像表示装置。
【請求項９】
入力画像のレイアウト情報に基づいて、タイトル又は見出しとして規定されている文字画像を選択する部分画像選択手段と、
前記部分画像選択手段により選択された文字画像を用いて、入力画像の内容を想起させる要約画像を表示する表示手段と
有する画像表示装置。
【請求項１０】
複数の入力画像からなる複数ページの電子文書において、電子文書の一部のページを部分画像として選択する部分画像選択手段と、
前記部分画像選択手段により選択された部分画像を用いて、電子文書の内容を想起させる要約画像を表示する表示手段と
を有する画像表示装置。
【請求項１１】
前記部分画像選択手段は、複数の入力画像で構成された複数ページの電子文書について、奇数ページと偶数ページとで異なる領域の文字画像を選択する
請求項８又は９に記載の画像表示装置。
【請求項１２】
入力画像は符号化されており、
前記部分画像選択手段により選択された文字画像の符号データを復号化する復号化手段
をさらに有し、
前記表示手段は、前記復号化手段により復号化された部分画像のデータを用いて、要約画像を表示する
請求項８〜１１のいずれかに記載の画像表示装置。
【請求項１３】
複数のページからなる電子文書に基づいて画像を表示する画像表示装置であって、
電子文書の各ページに対して周波数分割及びビットプレーン分割を行うことにより生成された複数の部分データの中から、ページ毎に一部の部分データを抽出する部分データ抽出手段と、
前記部分データ抽出手段によりページ毎に抽出された部分データに基づいて、電子文書の各ページを想起させる要約画像を、ページを切換えながら連続的に表示する表示手段と
を有する画像表示装置。
【請求項１４】
複数のページからなる電子文書に基づいて画像を表示する画像表示装置であって、
電子文書の符号データの中から、電子文書を構成する部分データに相当する符号データをページ毎に抽出する部分データ抽出手段と、
前記部分データ抽出手段により抽出された符号データを部分データに復号化する復号化手段と、
前記復号化手段により復号化された部分データに基づいて、電子文書の各ページを想起させる要約画像を、ページを切換えながら連続的に表示する表示手段と
を有する画像表示装置。
【請求項１５】
前記部分データ抽出手段は、電子文書の各ページに対して画像領域分割又は周波数分割を行うことにより生成された複数の符号データの中から、ページ毎に一部の部分データを選択する
請求項１４に記載の画像表示装置。
【請求項１６】
複数のレイヤごとに符号化された入力画像の符号データに基づいて画像を表示する画像表示方法であって、
入力画像を構成する一部のレイヤの符号データを画像データに復号化し、
復号化された画像データに基づいて、入力画像の画像要素を表示する
画像表示方法。
【請求項１７】
複数のレイヤごとに符号化された入力画像の符号データに基づいて画像を表示する画像表示装置において、
入力画像を構成する一部のレイヤの符号データを画像データに復号化するステップと、
復号化された画像データに基づいて、入力画像の画像要素を表示するステップと
を前記画像表示装置のコンピュータに実行させるプログラム。
【発明の詳細な説明】
【技術分野】
【０００１】
本発明は、画像ファイルに含まれる複数のページに対応する画像を連続的に表示する画像表示装置に関する。
【背景技術】
【０００２】
例えば、特許文献１は、文書データおよび画像データのいずれか一方のみを表示対象とすることによって表示するデータ量を削減し、その表示を高速に行うファイル検索装置を開示する。また、特許文献２は、画像データを離散コサイン変換によりＤＣ成分とＡＣ成分に分離し、検索時にＤＣ成分のみを抽出してデコードすることによりデータ処理の簡素化を図り、高速検索を実現するカラー電子ファイリングシステムを開示する。また、特許文献３は、画面の一部の指定領域に対してのみのブラウジングを可能にすることにより効率的な情報検索を実現する表示装置を開示する。また、特許文献４は、圧縮データに画像伸長処理を施して得られる伸長画像データ系列を一定の間隔で間引いて表示データを生成する画像検索装置を開示する。
【特許文献１】特開平９−１３８８０５号公報
【特許文献２】特開平７−１６８９２７号公報
【特許文献３】特開平１０−１９８７００号公報
【特許文献４】特開平６−００４６４４号公報
【発明の開示】
【発明が解決しようとする課題】
【０００３】
本発明は、上述した背景からなされたものであり、複数のページからなる画像ファイルの閲覧を容易にする画像表示装置を提供することを目的とする。
【課題を解決するための手段】
【０００４】
［画像表示装置］
上記目的を達成するために、本発明にかかる画像表示装置は、複数のレイヤごとに符号化された入力画像の符号データに基づいて画像を表示する画像表示装置であって、入力画像を構成する一部のレイヤの符号データを画像データに復号化する復号化手段と、前記復号化手段により復号化された画像データに基づいて画像要素を表示する表示手段とを有する。
【０００５】
好適には、前記復号化手段は、複数の入力画像からなる電子文書について、入力画像それぞれの一部のレイヤの符号データを画像データに復号化し、前記表示手段は、前記復号化手段により復号化された画像データそれぞれに基づいて、それぞれの入力画像の画像要素を連続的に表示する。
【０００６】
また、本発明にかかる画像表示装置は、複数の色成分からなる入力画像から、一部の色成分の画像データを抽出するデータ抽出手段と、前記データ抽出手段により抽出された一部の色成分の画像データに基づいて、入力画像の内容を想起させる要約画像を表示する表示手段とを有する。
【０００７】
好適には、前記データ抽出手段は、入力画像から、輝度成分に相当する画像データを抽出し、前記表示手段は、抽出された輝度成分の画像データに基づいて、要約画像を表示する。
【０００８】
好適には、前記データ抽出手段は、入力画像から、圧縮率が最も高い色成分の画像データを抽出し、前記表示手段は、抽出された色成分の画像データに基づいて、要約画像を表示する。
【０００９】
また、本発明にかかる画像表示装置は、入力画像の部分領域毎に、文字画像の密度を算出する密度算出手段と、前記密度算出手段により算出された文字画像の密度に応じて、部分領域毎に濃度値を選択する濃度値選択手段と、前記濃度値選択手段により部分領域毎に選択された濃度値を用いて、それぞれの部分領域を想起させる要約画像を表示する表示手段とを有する。
【００１０】
また、本発明にかかる画像表示装置は、入力画像の部分領域それぞれの画像データの符号量を算出する符号量算出手段と、前記符号量算出手段により算出された部分領域の符号量に応じて、部分領域毎に濃度値を選択する濃度値選択手段と、前記濃度値選択手段により部分領域毎に選択された濃度値を用いて、それぞれの部分領域を想起させる要約画像を表示する表示手段とを有する。
【００１１】
また、本発明にかかる画像表示装置は、入力画像に含まれる文字画像の中から、大きさが基準値以上である文字画像を選択する部分画像選択手段と、前記部分画像選択手段により選択された文字画像を用いて、入力画像の内容を想起させる要約画像を表示する表示手段と有する。
【００１２】
また、本発明にかかる画像表示装置は、入力画像のレイアウト情報に基づいて、タイトル又は見出しとして規定されている文字画像を選択する部分画像選択手段と、前記部分画像選択手段により選択された文字画像を用いて、入力画像の内容を想起させる要約画像を表示する表示手段と有する。
【００１３】
また、本発明にかかる画像表示装置は、複数の入力画像からなる複数ページの電子文書において、電子文書の一部のページを部分画像として選択する部分画像選択手段と、前記部分画像選択手段により選択された部分画像を用いて、電子文書の内容を想起させる要約画像を表示する表示手段とを有する。
【００１４】
好適には、前記部分画像選択手段は、複数の入力画像で構成された複数ページの電子文書について、奇数ページと偶数ページとで異なる領域の文字画像を選択する。
【００１５】
好適には、入力画像は符号化されており、前記部分画像選択手段により選択された文字画像の符号データを復号化する復号化手段をさらに有し、前記表示手段は、前記復号化手段により復号化された部分画像のデータを用いて、要約画像を表示する。
【００１６】
また、本発明にかかる画像表示装置は、複数のページからなる電子文書に基づいて画像を表示する画像表示装置であって、電子文書の各ページに対して周波数分割及びビットプレーン分割を行うことにより生成された複数の部分データの中から、ページ毎に一部の部分データを抽出する部分データ抽出手段と、前記部分データ抽出手段によりページ毎に抽出された部分データに基づいて、電子文書の各ページを想起させる要約画像を、ページを切換えながら連続的に表示する表示手段とを有する。
【００１７】
また、本発明にかかる画像表示装置は、複数のページからなる電子文書に基づいて画像を表示する画像表示装置であって、電子文書の符号データの中から、電子文書を構成する部分データに相当する符号データをページ毎に抽出する部分データ抽出手段と、前記部分データ抽出手段により抽出された符号データを部分データに復号化する復号化手段と、前記復号化手段により復号化された部分データに基づいて、電子文書の各ページを想起させる要約画像を、ページを切換えながら連続的に表示する表示手段とを有する。
【００１８】
好適には、前記部分データ抽出手段は、電子文書の各ページに対して画像領域分割又は周波数分割を行うことにより生成された複数の符号データの中から、ページ毎に一部の部分データを選択する。
【００１９】
［画像表示方法］
また、本発明にかかる画像表示方法は、複数のレイヤごとに符号化された入力画像の符号データに基づいて画像を表示する画像表示方法であって、入力画像を構成する一部のレイヤの符号データを画像データに復号化し、復号化された画像データに基づいて、入力画像の画像要素を表示する。
【００２０】
［プログラム］
また、本発明にかかるプログラムは、複数のレイヤごとに符号化された入力画像の符号データに基づいて画像を表示する画像表示装置において、入力画像を構成する一部のレイヤの符号データを画像データに復号化するステップと、復号化された画像データに基づいて、入力画像の画像要素を表示するステップとを前記画像表示装置のコンピュータに実行させる。
【発明の効果】
【００２１】
本発明の画像表示装置によれば、複数のページからなる画像ファイルの閲覧が容易になる。
【発明を実施するための最良の形態】
【００２２】
［背景と概略］
まず本発明の理解を助けるために、その背景を説明する。
辞書等の文書（紙などで作成されたもの）の中から所望のページを見付け出す場合に、閲覧者は、文書のページを早いスピードでめくりながらそれぞれのページ（ページ数、タイトル、インデクス等）を視認して所望のページを探し出す。探索の対象が電子化された文書（以下、電子文書）であっても、上記のようにページ送りを適用することにより、閲覧者は、電子文書の中から所望のページを高速に探索できる。
また、高速かつ快適なページ探索を実現するためには、自動的に順次ページをめくる機能（以下、自動ページ送り機能）が備えられていることが望ましい。
【００２３】
ここで、例えば人が文書をぱらぱらめくって所望のページを探しているときには、画像全体を詳細に見ているわけではない。そこで、電子文書に対して自動ページ送りを行う場合には、画像表示装置は、電子文書の全ての画像データを表示するのではなく、一部の画像データのみを表示することにより、表示速度を向上させることが望ましい。
【００２４】
次に、自動ページ送りにおいて用いられる画像データについて説明する。
自動ページ送りにおいて用いられる画像データは、電子文書の画像データの一部（以下、部分データ）であり、自動ページ送りにおけるページ画像の表示を高速化させるために、できるだけ小さなデータ量となることが望ましい。また、部分データに基づいて要約画像が作成され連続的に表示されるため、部分データは、各ページの内容を瞬時に想起させる情報を表示させるものであることが望ましい。
例えば、自動ページ送りがなされるときには、電子文書の中から、文字のみ又はこれ以外の画像のみを部分データとして選択して表示させることも考えられるが、この場合には、文字のみからなる電子文書、又は、文字以外の画像のみからなる電子文書について、表示速度の向上を実現できない。
また、離散コサイン変換により分離されたＤＣ成分のみを部分データして選択して表示させることも考えられるが、この場合には、ＤＣ成分のデータ量の比率が符号全体に対して大きいため、表示速度がそれほど向上しない。
【００２５】
そこで、本実施形態における画像表示装置２は、レイヤ構造で構成された電子文書の画像データに基づいて、一部のレイヤに割り当てられた画像要素のみを要約画像として表示する。この場合に、レイヤに割り当てられる画像要素を変えることにより、要約画像として表示する内容を柔軟に選択することが可能になる。
【００２６】
画像をレイヤ構造で管理する方法には主に２種類ある。１つは、多値の画像要素が割り当てられるイメージレイヤと、２値の画像要素が割り当てられる少なくとも１つのマスクレイヤとで画像データを構成する方法（以下、マルチマスク方式という）であり、もう１つは、多値の画像要素が割り当てられる２以上のイメージレイヤ、及び、これらのイメージレイヤから画像領域毎に出力させる画像要素を選択する選択レイヤで画像データを構成するＭＲＣ（Mixed Raster Content）方式である。ここで、イメージレイヤ及びマスクレイヤなどのレイヤは、互いに重なりあうことにより１つの画像を構成するものであり、複数のレイヤ間で予め相対的な位置関係（重なる位置など）が規定されている。
このように画像を複数のレイヤに分けて管理することにより、各レイヤに含まれる画像要素のデータ特性（階調変化の特性など）に応じた圧縮方式が適用でき、効率のよい圧縮が可能である。例えば、とりうる階調数が既定値以下の画像要素（例えば、とりうる階調が２値の画像）で構成されるマスクレイヤ又は選択レイヤなどに対しては、可逆なランレングス圧縮又はＬＺ圧縮（Ziv-Lempel coding）などを適用し、とりうる階調数が既定値よりも大きな画像要素（例えば、２５６階調の中で階調変化する画像）で構成されるイメージレイヤに対しては、非可逆なＪＰＥＧ（Joint Photographic Coding Experts Group）圧縮を適用する。マスクレイヤ及び選択レイヤなどは、階調数の少ない画像で構成されるため、ランレングス圧縮等の可逆圧縮でも十分に高い圧縮率を実現できる。また、イメージレイヤは、階調が擬似連続的に変化するスキャン画像などで構成されるため、非可逆圧縮を施しても画質劣化が顕在化せず高い圧縮率を実現できる。
【００２７】
図１は、マルチマスク方式のレイヤ構造を説明する図である。
図１に示すように、２層レイヤ構造の画像データ７００は、複数のマスクレイヤ７１０ａ〜７１０ｄと、１つのイメージレイヤ７２０とで構成される。
マスクレイヤ７１０は、文字画像又は簡単なＣＧ（Computer Graphics）画像など階調変化の少ない画像要素（例えば１６階調以下）が割り当てられるレイヤであり、本例では２値の画像要素が割り当てられている。したがって、それぞれのマスクレイヤ７１０に含まれる画像要素は、単一の色で構成され、２階調で表現される。
イメージレイヤ７２０は、写真画像などのマスクレイヤ７１０よりも階調数が多い画像要素が割り当てられるレイヤであり、本例では多値（１６階調以上）の画像要素が割り当てられている。例えば、イメージレイヤ７２０には、複雑なＣＧ画像又は連続階調画像などが含まれる。ここで、連続階調画像とは、人間の視覚特性に鑑み十分に連続的なグラデーションが表現される画像であり、例えば、１色あたり１６階調以上で表現される画像である。
表示画像７５０は、イメージレイヤ７２０の上に、予め設定された順番でマスクレイヤ７１０ａ〜７１０ｄを重ねあわせて表示または印刷等されたものである。
【００２８】
本実施形態における画像表示装置２は、上記のように、マルチマスク方式で符号化された符号データを取得した場合には、自動ページ送りを行うよう指示されると、一部のレイヤの符号データを選択して復号化し、このレイヤに割り当てられた画像要素を要約画像として表示する。画像表示装置２は、例えば、文字画像が割り当てられたレイヤ（黒のマスクレイヤ）などのように、表示画像の内容を想起させるレイヤを選択することが望ましい。
【００２９】
図２は、ＭＲＣ方式のレイヤ構造を説明する図である。
ＭＲＣ方式の画像データは、画像を構成する画像要素が割り振られた複数の画像レイヤと、出力させる画像要素を画像領域毎に選択する選択レイヤとで構成される。本例の場合、図２に示すように、３層レイヤ構造の画像データ８００は、画像レイヤして前景レイヤ８１０及びイメージレイヤ８２０を有し、これらのレイヤから画像要素を選択する選択レイヤ８３０をさらに有する。
前景レイヤ８１０は、簡単なＣＧ画像又は文字画像などの低階調画像が割り当てられている。なお、前景レイヤ８１０は、ＣＧ画像又は文字画像に含まれる複数の色情報及び中間調情報を有する。
イメージレイヤ８２０は、前景レイヤ８１０よりも階調数が多い連続階調画像などが割り当てられる。
選択レイヤ８２０は、画像領域毎に（例えば画素毎に）前景レイヤ８１０及びイメージレイヤ８２０のいずれの画像要素を出力させるかを示す２値データで構成され、この２値データによるパターン像が形成される。本例における選択レイヤ８２０の黒色の部分は、前景レイヤ８１０の画像要素を選択するパターン像であり、白色の部分は、イメージレイヤ８２０の画像要素を選択するパターン像である。
表示画像８５０は、前景レイヤ８１０及びイメージレイヤ８２０に含まれる画像要素から、選択レイヤ８２０に含まれる２値パターンに応じて選択された画像要素を表示又は印刷等されたものである。
【００３０】
本実施形態における画像表示装置２は、この場合も同様に、ＭＲＣ方式で符号化された符号データが取得された場合には、自動ページ送りを行うよう指示されると、一部のレイヤの符号データを選択し要約画像として表示する。画像表示装置２は、例えば、いずれか１つのレイヤのみを選択してもよいし、少なくとも選択レイヤ８３０を含む２つのレイヤを選択してもよい。
これにより、画像表示装置２は、たとえイメージ画像と文字画像とが重なっているような場合であっても、イメージ画像又は文字画像のいずれか一方のみをきれいに抽出して要約画像として表示することができる。また、画像表示装置２は、各レイヤに対する画像要素の割当てを変更することにより、様々な要約画像を作成して表示することができる。
【００３１】
［第１実施形態］
次に、第１の実施形態における画像表示装置２の構成を説明する。
図３は、本発明にかかる画像表示装置２のハードウェア構成を例示する図である。
図３に示すように、画像表示装置２は、ＣＰＵ２０２及びメモリ２０４などを含む制御装置２０、通信装置２２、ＨＤＤ・ＣＤ装置などの記録装置２４、並びに、ＬＣＤ表示装置あるいはＣＲＴ表示装置及びキーボード・タッチパネルなどを含むユーザインタフェース装置（ＵＩ装置）２６などから構成される。
例えば、画像表示装置２は、汎用コンピュータなどであり、ネットワークを介してプリンタ装置１０に画像印刷又は原稿画像のスキャンを依頼することができる。
【００３２】
［閲覧プログラム］
図４は、制御装置２０（図２）により実行され、本発明にかかる画像表示方法を実現する閲覧プログラム５の構成を例示する図である。
図４に示すように、閲覧プログラム５は、データ取得部５００、部分データ選択部５１０、復号化部５２０、連続表示部５３０、ＵＩ制御部５４０、ページ決定部５５０、履歴データベース（履歴ＤＢ）５６０及び内容表示部５７０を有する。
閲覧プログラム５は、例えば、記録媒体２４０（図２）又はネットワークを介して制御装置２０に供給され、メモリ２０４にロードされて実行される。
【００３３】
閲覧プログラム５において、データ取得部５００は、閲覧対象となる電子文書のデータファイルをプリンタ装置１０（図３）又は記録装置２４（図３）等から取得する。本例のデータ取得部５００は、複数のページからなる電子文書の符号データを記録装置２４から読み出す。なお、データ取得部５００は、通信装置２２（図３）を介して、電子文書のデータファイルを取得してもよい。
【００３４】
部分データ選択部５１０は、データ取得部５００により取得されたデータファイルの中から、ページ毎に一部のデータファイルを選択して復号化部５２０に対して出力する。例えば、部分データ選択部５１０は、自動ページ送りがなされる場合には、電子文書の符号データの中から、各ページ毎に一部の符号データ（レイヤに振り分けられたもの、画像領域で分割されたもの、周波数分割されたもの、ビットプレーン分割されたもの等）を選択して復号化部５２０に対して出力し、自動ページ送りが停止されている場合等には、電子文書の符号データの中から、表示すべきページの全符号データを選択して復号化部５２０に対して出力する。なお、本例の部分データ選択部５１０は、レイヤ構造で構成された電子文書の符号データの中から、一部のレイヤの符号データを選択する。
【００３５】
復号化部５２０は、部分データ選択部５１０から入力された符号データを復号化して連続表示部５３０又は内容表示部５７０に対して出力する。例えば、復号化部５２０は、自動ページ送りがなされる場合には、電子文書の各ページについて符号データの一部（部分データ選択部５１０により選択されたもの）のみを復号化し、復号化されたデータ（部分データ）を連続表示部５３０に対して出力し、自動ページ送りが停止されている場合には、電子文書の全符号データ、又は、表示されているページの全符号データを復号化し、復号化されたデータ（全体データ）を内容表示部５７０に対して出力する。
【００３６】
連続表示部５３０は、自動ページ送りを行うよう指示された場合に、復号化部５２０から入力された部分データに基づいて、電子文書の各ページを想起させる要約画像を作成し、作成された要約画像を、ページ送りを行いながら連続的にＵＩ装置２６に表示させる。
【００３７】
ＵＩ制御部５４０は、閲覧者の操作を受け付けて、閲覧者の操作に応じて部分データ選択部５１０又はページ決定部５５０に指示を出力する。例えば、ＵＩ制御部５４０は、自動ページ送りを開始させる操作（後述する順方向ページ送り開始ボタン２６４又は逆方向ページ送り開始ボタン２６６のクリック操作）を受け付けると、部分データ選択部５１０に対して部分データの選択を指示して自動ページ送りを開始させる。また、ＵＩ制御部５４０は、自動ページ送りを停止させる操作（後述するページ送り停止ボタン２７２のクリック操作）を受け付けると、ページ決定部５５０に対して、この操作を受け付けたタイミングを通知して表示すべきページの決定を指示する。また、ＵＩ制御部５４０は、所望のページを表示するよう指示する操作（後述する順方向ページめくりボタン２６８又は逆方向ページめくりボタン２７０のクリック操作）を受け付けると、部分データ選択部５１０に対して、指示されたページの全符号データを選択するよう指示する。
【００３８】
また、ＵＩ制御部５４０は、自動ページ送りを開始させる操作、又は、自動ページ送りを停止させる操作を受け付けると、これらの操作領域の機能を相互に切り換える。すなわち、ＵＩ制御部５４０は、自動ページ送りを開始させる操作を受け付けた場合に、この操作が受け付けられた操作領域を、自動ページ送りを停止させる操作を受け付ける操作領域に切り替え、自動ページ送りを停止させる操作を受け付けた場合に、この操作が受け付けられた操作領域を、自動ページ送りを開始させる操作を受け付ける操作領域に切り替る。
【００３９】
ページ決定部５５０は、自動ページ送りを停止させる操作を受け付けたタイミングに基づいて、表示すべきページを決定し、決定されたページを表示するよう部分データ選択部５１０に対して指示する。より具体的には、ページ決定部５５０は、自動ページ送りを停止される操作を受け付けたタイミングにおいて、自動ページ送り（連続表示部５３０）により表示されていた要約画像（ページ画像）に対応するページを基準ページとし、この基準ページから、自動ページ送りの方向とは逆の方向に既定の自動補正量だけ移動したページを、表示すべきページとして決定する。
【００４０】
履歴ＤＢ５６０は、自動ページ送りが停止された後になされるページの変更に関する情報をページ補正履歴として記憶する。ページ変更に関する情報は、例えば、ページ決定部５５０により自動的に補正されたページ数（自動補正量）と、閲覧者により手動で補正されたページ数（手動補正量）とを含む。
【００４１】
ページ決定部５５０は、上記履歴ＤＢ５６０に記憶されているページ補正履歴に基づいて、自動補正量を決定する。例えば、ページ決定部５５０は、履歴ＤＢ５６０に記憶されているページ補正履歴に基づいて、直前までのページ補正量（自動補正量及び手動補正量の和）の平均値又は最頻値を自動補正量として決定する。また、ページ決定部５５０は、直近のＮ個（Ｎは整数）のページ補正量の平均値又は最頻値を自動補正量として決定してもよい。
また、ページ決定部５５０は、自動ページ送りが停止された場合にその都度自動補正量を算出してもよいし、既定数回だけ自動ページ送りが停止された場合に自動補正量を算出するようにしてもよい。また、ページ決定部５５０は、例えば、カルマンフィルタなどを適用して、履歴ＤＢ５６０に記憶されているページ補正履歴に基づいて、自動補正量を予測により算出してもよい。
なお、ページ決定部５５０は、ページ補正履歴によらずに、既定の固定値を自動補正量として適用してもよい。
【００４２】
内容表示部５７０は、自動ページ送りが停止するよう指示された場合に、復号化部５２０から入力された全体データに基づいて、ページ決定部５５０により決定されたページの画像をＵＩ装置２６に表示させる。また、内容表示部５７０は、望のページを表示するよう閲覧者に指示された場合（例えば、順方向ページめくりボタン２６８又は逆方向ページめくりボタン２７０がクリックされた場合）に、復号化部５２０から入力された全体データに基づいて、閲覧者に指示されたページの画像をＵＩ装置２６に表示させる。
【００４３】
［ユーザインタフェース］
図５は、ＵＩ装置２６により表示される表示画面を例示する図である。
電子文書に対して自動ページ送り機能を実現するためには、図５（Ａ）に例示するように、自動ページ送り機能の開始及び停止を指示するユーザインタフェースが必要になる。本例では、電子文書の各ページに対応するページ画像が表示されるコンテンツ表示部２６２に加えて、順方向の自動ページ送りを開始させる順方向ページ送り開始ボタン２６４、逆方向の自動ページ送りを開始させる逆方向ページ送り開始ボタン２６６、１ページずつ順方向にページを送らせる順方向ページめくりボタン２６８、１ページずつ逆方向にページを送らせる逆方向ページめくりボタン２７０、及び、自動ページ送りを停止させるページ送り停止ボタン２７２などが表示画面２６０に設けられている。
閲覧者は、例えば、これらのボタンが表示された領域をクリックすることにより、自動ページ送りを開始又は停止させることができ、コンテンツ表示部２６２には、閲覧者のクリック操作に応じて、電子文書の各ページに対応する要約画像が連続的に表示される。ここで、要約画像とは、高速表示が可能な程度にデータ量が抑えられた画像である。
また、閲覧者は、順方向ページめくりボタン２６８、又は、逆方向ページめくりボタン２７０をクリックすることにより、表示されるページを１ページずつ変更することもできる。
【００４４】
しかしながら、自動ページ送りの開始又は停止を行うたびに、ポインタを移動させて所定の領域をクリックすることは面倒である。また、自動ページ送りが開始された直後に自動ページ送りを停止させたい場合に、順方向ページ送り開始ボタン２６４又は逆方向ページ送り開始ボタン２６６の表示位置からページ送り停止ボタン２７２の表示位置までポインタを移動させてクリックするまでにある程度の時間を要し、所望のタイミングで自動ページ送りを停止させることができない場合もある。
【００４５】
そこで、本実施形態におけるＵＩ制御部５４０は、図５（Ｂ）に例示するように、順方向ページ送り開始ボタン２６４又は逆方向ページ送り開始ボタン２６６がクリックされて自動ページ送りが開始された場合に、このページ送り開始ボタン（順方向ページ送り開始ボタン２６４又は逆方向ページ送り開始ボタン２６６）をページ送り停止ボタン２７２に切り換える。また、ＵＩ制御部５４０は、ページ送り停止ボタン２７２がクリックされて自動ページ送りが停止された場合に、このページ送り停止ボタン２７２をページ送り開始ボタン（順方向ページ送り開始ボタン２６４又は逆方向ページ送り開始ボタン２６６）に切り換える。
これにより、閲覧者は、ポインタを移動させることなく、自動ページ送りの開始操作及び停止操作を行うことができる。
【００４６】
［ページの自動補正］
次に、ページ決定部５５０によりなされるページの自動補正について説明する。上記のように、ページ送り開始ボタンとページ送り停止ボタンとが略同一の位置に設けられたとしても、所望のページが表示されてからページ送りが停止されるまでの間には、閲覧者の生理的な対応時間及び画像表示装置２の対応時間により、タイムラグが生じ、ページ送りが停止されるまでにある程度ページが送られてしまう。なお、閲覧者は、順方向ページめくりボタン２６８又は逆方向ページめくりボタン２７０をクリックすることにより、表示されるページを補正することができるが、高速でページ送りが行われる場合には、ページ送りが停止されるまでに多数のページが送られてしまい、ページの補正が面倒である。
そこで、本実施形態におけるページ決定部５５０は、ページ送り停止ボタンに対する操作が検知されたタイミングで表示されているページ（基準ページ）を基準として、自動ページ送りとは逆方向に既定ページ数だけ戻ったページを表示する。
【００４７】
図６は、履歴ＤＢ５６０に記憶されるページ補正履歴を例示する図である。
図６に例示するように、履歴ＤＢ５６０は、基準ページを基準として自動的に補正したページ数（自動補正量）と、その後に閲覧者により補正されたページ数（手動補正量）とをページ補正履歴として記憶する。
手動補正は、例えば、順方向ページめくりボタン２６８、又は、逆方向ページめくりボタン２７０に対する閲覧者のクリック操作によりなされ、所望のページが見つかった場合に、確定ボタン２７４（図５）がクリックされる。
本例の履歴ＤＢ５６０は、自動ページ送りが停止されてから、この確定ボタン２７４がクリックされるまでの間に変更されたページ数を、手動補正量として記憶する。
ページ決定部５５０は、このように履歴ＤＢ５６０に記憶された自動補正量及び手動補正量（すなわちページ補正履歴）に基づいて、統計的に自動補正量を決定する。
これにより、表示すべきページが自動的に補正されるため、閲覧者が補正すべき手動補正量を少なくすることができる。
【００４８】
［全体動作］
次に、画像表示装置２の全体動作を説明する。
図７は、閲覧プログラム５の動作（Ｓ１０）を示すフローチャートである。なお、説明の便宜のためにＭＲＣ方式で符号化された画像データが入力される場合を具体例とする。
図７に示すように、ステップ１００（Ｓ１００）において、閲覧者がＵＩ装置２６（図３）を用いて閲覧対象となる電子文書を選択すると、データ取得部５００（図４）は、選択された電子文書の符号データを記録装置２４（図３）等から取得する。
ステップ１０５（Ｓ１０５）において、ＵＩ制御部５４０は、自動ページ送りの開始操作がなされたか否かを判定し、自動ページ送りの開始操作がなされた場合に、部分データ選択部５１０に対して自動ページ送りを開始するよう指示する。
閲覧プログラム５は、自動ページ送りの開始操作（図５に例示した順方向ページ送り開始ボタン２６４又は逆方向ページ送り開始ボタン２６６のクリック操作）がなされた場合に、Ｓ１１０の処理に移行し、これ以外の場合に開始操作がなされるまで待機する。
【００４９】
ステップ１１０（Ｓ１１０）において、部分データ選択部５１０は、データ取得部５００により取得された符号データ（ＭＲＣ方式で符号化されたデータ）の中から、選択レイヤ８３０の符号データを選択し、選択された符号データを復号化部５２０に対して出力する。
ステップ１１５（Ｓ１１５）において、復号化部５２０は、部分データ選択部５１０から入力された符号データ（選択レイヤ８３０の符号データ）を復号化し、復号化された選択レイヤのデータ（部分データ）を連続表示部５３０に対して出力する。
【００５０】
ステップ１２０（Ｓ１２０）において、連続表示部５３０は、復号化部５２０から入力された選択レイヤのデータに基づいて、各ページの選択レイヤに割り当てられた画像を連続的にＵＩ装置２６（図３）に表示する。
ステップ１２５（Ｓ１２５）において、ＵＩ制御部５４０は、自動ページ送りが開始されると、開始操作を受け付ける操作領域（図５に例示した順方向ページ送り開始ボタン２６４又は逆方向ページ送り開始ボタン２６６）を、自動ページ送りの停止操作を受け付ける操作領域（図５に例示したページ送り停止ボタン２７２）に切り換える。
【００５１】
ステップ１３０（Ｓ１３０）において、閲覧者は、自動ページ送りにより連続して表示される各ページの要約画像を見ながら、所望のページを探索し、所望のページの要約画像が表示されたことを確認してから、自動ページ送りの停止操作（ページ送り停止ボタン２７２のクリック操作）を行う。
ＵＩ制御部５４０は、自動ページ送りの停止操作がなされたか否かを判定し、自動ページ送りの停止操作がなされた場合に、ページ決定部５５０に対して、表示すべきページの決定を指示する。
閲覧プログラム５は、自動ページ送りの停止操作（ページ送り停止ボタン２７２のクリック操作）がなされた場合に、Ｓ１３０の処理に移行し、これ以外の場合に、停止操作がなされるまで自動ページ送りを継続する。
【００５２】
ステップ１３５（Ｓ１３５）において、ＵＩ制御部５４０は、自動ページ送りの停止操作がなされると、停止操作を受け付ける操作領域（図５に例示したページ送り停止ボタン２７２）を、自動ページ送りの開始操作を受け付ける操作領域（図５に例示した順方向ページ送り開始ボタン２６４又は逆方向ページ送り開始ボタン２６６）に切り換える。
【００５３】
ステップ１４０（Ｓ１４０）において、ページ決定部５５０は、自動ページ送りの停止操作が検知されたタイミングと、予め決定されていた自動補正量とに基づいて、表示すべきページを決定し、決定されたページを部分データ選択部５１０に対して通知する。
【００５４】
ステップ１４５（Ｓ１４５）において、部分データ選択部５１０は、決定されたページの他のレイヤ（前景レイヤ８１０及びイメージレイヤ８２０）の符号データを選択し、選択された他のレイヤの符号データを復号化部５２０に対して出力する。
復号化部５２０は、選択された他のレイヤの符号データを復号化し、復号化された他のレイヤ（前景レイヤ８１０及びイメージレイヤ８２０）のデータを、選択レイヤ８３０のデータと共に内容表示部５７０に対して出力する。
【００５５】
ステップ１５０（Ｓ１５０）において、内容表示部５７０は、復号化部５２０から入力されたデータ（前景レイヤ８１０、イメージレイヤ８２０及び選択レイヤ８３０のデータ）に基づいて、ページ決定部５５０により決定されたページの画像を表示する。
【００５６】
ステップ１５５（Ｓ１５５）において、閲覧者は、表示されたページが所望のページでない場合に、ページを手動により変更する操作（順方向ページめくりボタン２６８又は逆方向ページめくりボタン２７０のクリック操作）を行う。
ＵＩ制御部５４０は、ページを手動により変更する操作がなされたか否かを判定し、変更する操作がなされた場合に、部分データ選択部５１０に対して閲覧者に指定されたページの符号データを選択するよう指示し、閲覧者に指定されたページの画像を内容表示部５７０に表示させる。
閲覧プログラム５は、ページを手動により変更する操作（順方向ページめくりボタン２６８又は逆方向ページめくりボタン２７０のクリック操作）がなされた場合に、Ｓ１４５の処理に戻って、指定されたページの画像を表示し、ページを手動により変更する操作がなされない場合に、Ｓ１６０の処理に移行する。
【００５７】
ステップ１６０（Ｓ１６０）において、閲覧者は、表示されたページが所望のページである場合に、ページを確定させる操作（確定ボタン２７４（図５）のクリック操作）を行う。
ＵＩ制御部５４０は、ページを確定させる操作（確定操作）がなされたか否かを判定し、確定操作がなされた場合に、自動ページ送りを停止させた時から確定操作がなされたときまでの期間に、手動で変更されたページ数（すなわち、手動補正量）を算出し、算出された手動補正量をページ決定部５５０に対して出力する。
閲覧プログラム５は、確定操作（確定ボタン２７４のクリック操作）がなされた場合に、Ｓ１６５の処理に移行し、確定操作がなされない場合に、Ｓ１５５の処理に戻る。
【００５８】
ステップ１６５（Ｓ１６５）において、ページ決定部５５０は、ＵＩ制御部５４０から入力された手動補正量と、直近の自動補正量とを履歴ＤＢ５６０に対して出力して、ページ補正履歴（図６）を更新する。
【００５９】
以上説明したように、本実施形態における画像表示装置２は、レイヤ構造で構成された電子文書について、自動ページ送りを行う場合に、一部のレイヤに割り当てられた画像要素のみを復号化し、復号化された画像要素を要約画像として表示することにより、要約画像を高速で表示させて自動ページ送りを高速化させることができる。
【００６０】
［第２実施形態］
次に、第２の実施形態を説明する。
上記第１の実施形態における画像表示装置２は、レイヤ構造で構成された電子文書の符号データの中から、一部のレイヤの符号データを部分データとして選択したが、第２の実施形態における画像表示装置２は、画像領域、周波数又はビットプレーンで分割された画像データ（すなわち部分データ）に対応する符号データに対してアクセスして、所望の部分データに対応する符号データを選択する。具体的には、画像表示装置２は、画像領域、周波数及びビットプレーンの少なくとも１つに基づいて分割された画像データ（部分データ）をそれぞれ符号化し、これらの符号データがそれぞれ含まれた符号パケットと、これらの符号パケットにアクセスするためのアドレス情報とを作成する。このアドレス情報は、符号データを復号化することなく、所望の符号データに対するアクセスを実現する情報であり、例えば、各符号パケットに含まれている符号量（データ量）である。
なお、第２の実施形態における画像表示装置２のハードウェア構成及び閲覧プログラム５の機能構成は、第１の実施形態におけるものと実質的に同一である。
【００６１】
図８は、画像表示装置２により表示される電子文書の符号パケットを例示する図であり、図８（Ａ）は、符号データの先頭に符号パケットごとの符号量がアドレス情報として添付された形態を例示し、図８（Ｂ）は、各符号パケットの先頭にこの符号パケットの符号量がアドレス情報として添付された形態を例示する。
図８（Ａ）に例示するように、符号データは、その先頭に配置された符号ヘッダと、この符号ヘッダの後方に連なる複数の符号パケットとを有する。これら符号パケットには、それぞれ部分データの符号データが含まれており、符号ヘッダには、各符号パケットに含まれる符号データの符号量が含まれている。
本実施形態における部分データ選択部５１０（図４）は、この符号ヘッダに含まれる符号量をアドレス情報として利用して、一部の符号パケットにアクセスして所望の部分データのみを復号化する。
また、図８（Ｂ）に例示するように、符号ヘッダではなく各符号パケット内に、部分データの符号データとこの符号データの符号量とが含まれていてもよい。
この場合、部分データ選択部５１０は、各符号パケットに含まれる符号量をアドレス情報として利用して、一部の符号パケットにアクセスして所望の部分データのみを復号化する。
【００６２】
図９は、各符号パケットに含まれる部分データを説明する図であり、図９（Ａ）は、電子文書の各ページが画像領域で分割された場合の部分データを例示し、図９（Ｂ）は、図９（Ａ）に例示した部分データをさらに周波数で分割した場合の部分データを例示する。
図９（Ａ）に例示するように、電子文書の各ページは、複数の画像領域に分割され、分割された画像領域ごとに符号化されて符号パケットとなる。この場合に、部分データ選択部５１０（図４）は、ページ毎に、所望の画像領域に相当する符号パケットのみを選択して復号化部５２０に対して出力する。これにより、画像表示装置２は、電子文書の各ページについて、所望の画像領域の符号データのみを復号化し、復号化された画像領域の画像を要約画像として表示する。例えば、画像表示装置２は、ページのヘッダ部分又はフッタ部分に相当する画像領域のみを復号化して要約画像として表示する。
これにより、画像表示装置２は、各ページの象徴的な部分のみを復号化して表示でき、かつ、表示される画像のデータ量を削減するだけでなく、復号化部５２０に転送する符号データの転送量、復号化部５２０による復号化処理の負荷、及び、復号化された画像データの転送量を低減させることができる。
【００６３】
また、電子文書の各ページは、さらに周波数で分割されてもよい。本例では、それぞれの画像領域ｎの部分データが、図９（Ｂ）に例示するように、ウェーブレット変換により水平方向及び垂直方向で周波数により分割される。周波数により分割された部分データは、低域の周波数部分画像と、高域の周波数部分画像とに分割される。図９（Ｂ）に例示する周波数部分画像（ａ１〜ａ３、ｂ１〜ｂ３、ｃ１〜ｃ４）は、低域の周波数部分画像に対して再帰的にウェーブレット変換が施されたものであり、解像度の異なる複数の周波数部分画像のセットとなっている。この場合に、部分データ選択部５１０（図４）は、自動ページ送りがなされる場合に、所望の解像度に相当する周波数部分画像の符号データを選択して、復号化部５２０に対して出力する。これにより、画像表示装置２は、自動ページ送りで必要かつ十分な解像度の要約画像を作成して表示することができる。
【００６４】
次に、図７を参照して、第２の実施形態における画像表示装置２の全体動作を説明する。なお、以下の説明では、ＪＰＥＧ２０００により符号化された画像データが入力される場合を具体例とする。ここで、ＪＰＥＧ２０００により符号化された画像データは、画像領域による分割（タイル分割）、周波数による分割（ウェーブレット変換）、及び、ビットプレーン分割がなされたものであり、これらにより分割された部分データそれぞれは、符号パケットにランダムアクセスすることにより、任意に抽出可能である。したがって、画像表示装置２は、符号パケットに直接アクセスして、所望の画像品質及び解像度で所望の画像領域の画像データを表示させることができる。
【００６５】
図７に示すように、Ｓ１００において、閲覧者がＵＩ装置２６（図３）を用いて閲覧対象となる電子文書を選択すると、データ取得部５００（図４）は、選択された電子文書の符号データ（ＪＰＥＧ２０００の符号データ）を記録装置２４（図３）等から取得する。
Ｓ１０５において、ＵＩ制御部５４０は、自動ページ送りの開始操作がなされたか否かを判定し、自動ページ送りの開始操作がなされた場合に、Ｓ１１０の処理に移行し、これ以外の場合に開始操作がなされるまで待機する。
【００６６】
Ｓ１１０において、部分データ選択部５１０は、データ取得部５００により取得された符号データ（ＪＰＥＧ２０００の符号データ）の中から、所望の画像領域（タイル）、解像度及び画像品質（ＳＮＲ）に応じて、符号パケットを選択し、選択された符号パケットの符号データを復号化部５２０に対して出力する。すなわち、部分データ選択部５１０は、優先度の高いビットプレーン及びそれぞれの符号パケット
なお、部分データ選択部５１０は、ページのヘッダ領域又はフッタ領域などの特定領域をＲＯＩ領域（Region of interest）として定義して、この特定領域の画像品質が他の画像領域よりも高いものとなるように、符号パケットを選択してもよい。
Ｓ１１５において、復号化部５２０は、部分データ選択部５１０から入力された符号データを復号化し、復号化された部分データを連続表示部５３０に対して出力する。
【００６７】
Ｓ１２０において、連続表示部５３０は、復号化部５２０から入力された部分データに基づいて、各ページの要約画像を作成し連続的にＵＩ装置２６（図３）に表示する。
Ｓ１２５において、ＵＩ制御部５４０は、自動ページ送りが開始されると、開始操作を受け付ける操作領域を、自動ページ送りの停止操作を受け付ける操作領域（図５に例示したページ送り停止ボタン２７２）に切り換える。
【００６８】
Ｓ１３０において、閲覧者は、自動ページ送りにより連続して表示される各ページの要約画像を見ながら、所望のページを探索し、所望のページの要約画像が表示されたことを確認してから、自動ページ送りの停止操作を行う。
ＵＩ制御部５４０は、自動ページ送りの停止操作がなされたか否かを判定し、自動ページ送りの停止操作がなされた場合に、Ｓ１３０の処理に移行し、これ以外の場合に、停止操作がなされるまで自動ページ送りを継続する。
【００６９】
Ｓ１３５において、ＵＩ制御部５４０は、自動ページ送りの停止操作がなされると、停止操作を受け付ける操作領域を、自動ページ送りの開始操作を受け付ける操作領域に切り換える。
【００７０】
Ｓ１４０において、ページ決定部５５０は、自動ページ送りの停止操作が検知されたタイミングと、予め決定されていた自動補正量とに基づいて、表示すべきページを決定し、決定されたページを部分データ選択部５１０に対して通知する。
【００７１】
Ｓ１４５において、部分データ選択部５１０は、決定されたページの他の符号パケットを選択し、選択された他の符号パケットに含まれる符号データを復号化部５２０に対して出力する。
復号化部５２０は、選択された他の符号パケットの符号データを復号化し、復号化された部分データを内容表示部５７０に対して出力する。
【００７２】
Ｓ１５０において、内容表示部５７０は、復号化部５２０から入力されたデータ（選択されたページの全データ）に基づいて、ページ決定部５５０により決定されたページの画像を表示する。
【００７３】
Ｓ１５５において、閲覧者は、表示されたページが所望のページでない場合に、ページを手動により変更する操作を行う。
ＵＩ制御部５４０は、ページを手動により変更する操作がなされたか否かを判定し、ページを手動により変更する操作がなされた場合に、Ｓ１４５の処理に戻って、指定されたページの画像を表示し、ページを手動により変更する操作がなされない場合に、Ｓ１６０の処理に移行する。
【００７４】
Ｓ１６０において、閲覧者は、表示されたページが所望のページである場合に、ページを確定させる操作を行う。
ＵＩ制御部５４０は、ページを確定させる操作（確定操作）がなされたか否かを判定し、確定操作がなされた場合に、自動ページ送りを停止させた時から確定操作がなされたときまでの期間に、手動で変更されたページ数（すなわち、手動補正量）を算出し、算出された手動補正量をページ決定部５５０に対して出力する。
閲覧プログラム５は、ページの確定操作がなされた場合に、Ｓ１６５の処理に移行し、確定操作がなされない場合に、Ｓ１５５の処理に戻る。
【００７５】
Ｓ１６５において、ページ決定部５５０は、ＵＩ制御部５４０から入力された手動補正量と、直近の自動補正量とを履歴ＤＢ５６０に対して出力して、ページ補正履歴（図６）を更新する。
【００７６】
以上説明したように、本実施形態における画像表示装置２は、部分データに対応する符号データの符号パケットを直接アクセス可能に構成し、一部の符号パケットのみを選択して復号化し、復号化された部分データに基づいて要約画像を作成して表示する。これにより、復号化するデータ量を最小限に抑えつつ、所望の画像領域のみを所望の解像度及び画像品質で表示させることができる。
【００７７】
［変形例］
次に、上記第１又は第２の実施形態の変形例を説明する。
上記実施形態では、画像表示装置２は、レイヤ構造で構成された画像データのうち、一部のレイヤの画像データのみを抽出して要約画像を作成しているが、これに限定されるものではなく、例えば、電子文書の画像データに含まれる一部の色成分のみを抽出して要約画像を作成してもよい。例えば、部分データ選択部５１０は、電子文書の符号データの中から、輝度成分の画像データに相当する符号データを選択して、復号化部５２０は、この輝度成分に相当する符号データのみを復号化し、連続表示部５３０は、復号化された輝度成分の画像データに基づいて要約画像を作成してページ毎に連続して表示する。具体的には、部分データ選択部５１０は、符号データ全体を復号化してから、輝度成分の画像データを選択してもよいし、ＪＰＥＧ２０００の符号データである場合に輝度成分のコンポーネント画像のみを選択して復号化部５２０に出力してもよい。
なお、画像表示装置２は、電子文書の画像データに含まれる複数の色成分のうち、圧縮率が最も高い色成分のみを抽出し、抽出された色成分の画像データに基づいて要約画像を作成してもよい。圧縮率の高い色成分は、画像情報として有意である場合が多いからである。
【００７８】
また、画像表示装置２は、それぞれのページに含まれる領域ごとに符号量を算出し、算出された符号量に対応する濃度値を用いて要約画像を作成してもよい。
図１０は、符号量に応じた濃度値で要約画像９０２を作成する方法を説明する図であり、図１０（Ａ）は、各ページにおける画像の領域を例示し、図１０（Ｂ）は、各画像領域の符号量に基づいて作成された要約画像９０２を例示する。
画像表示装置２は、図１０（Ａ）に例示するように、各ページを複数の画像領域に分割し、分割された画像領域ごとに符号量を算出する（符号量算出手段による）。画像領域ごとの符号量は、例えば、図８に例示したように、画像領域それぞれに対応する符号パケットの符号量を合算することにより算出される。画像表示装置２は、算出された符号量に応じて、各画像領域に濃度値を決定し（濃度値選択手段による）、決定された濃度値で各画像領域を塗りつぶすことにより、図１０（Ｂ）に例示する要約画像９０２を作成する。
例えば、画像表示装置２は、画像領域の符号量が多い程、高い濃度値を割り当てることにより、画像がこみいってごみごみした画像領域を高い濃度値で表示して、各ページの印象を閲覧者に想起させる。
この場合には、画像表示装置２は、自動ページ送りを行っているときに、符号データを復号化する必要がないため、高速に要約画像を表示することができる。
なお、画像表示装置２は、それぞれのページに含まれる領域ごとに文字画像の密度（文字画像の数など）を算出し（密度算出手段により算出される）、算出された密度に対応する濃度値（濃度地選択手段により選択される濃度値）を用いて要約画像を作成してもよい。この場合も、画像表示装置２は、図１０（Ｂ）に例示するように、文字画像がこみいった画像領域を高い濃度値で表して、各ページの印象を閲覧者に想起させることができる。また、画像表示装置２は、それぞれの画像領域の符号量又は文字画像の密度に応じて、色を選択し、選択された色を用いて要約画像を作成してもよい。
【００７９】
また、画像表示装置２は、それぞれのページに含まれる文字画像のうち、基準値よりも大きな文字画像（フォント画像）のみを抽出し、抽出された文字画像のみを要約画像として表示してもよい。
図１１は、文字画像のサイズに基づいて作成された要約画像９０４を例示する図である。
図１１に例示するように、画像表示装置２は、電子文書に含まれる文字画像のうち、基準値よりも大きな文字画像のみを抽出し（部分画像選択手段による）、抽出された文字画像をそのまま配置して要約画像９０４を作成する。文字画像の大きさは、例えば、電子文書がラスターデータである場合に文字位置認識処理により特定され、電子文書がＰＤＬ（Page Description Language）等である場合にポイント数などのフォントサイズ情報により特定される。
これにより、タイトルなどの文字が要約画像に含まれるため、各ページの内容を想起しやすくなる。
なお、電子文書が構造化文書である場合には、画像表示装置２は、タグ（レイアウト情報）などに基づいて電子文書からタイトル又は見出し等の画像を抽出し（部分画像選択手段による）、抽出された画像を用いて要約画像を作成してもよい。
【００８０】
また、画像表示装置２は、奇数ページと偶数ページとで、復号化される画像領域を異ならせてもよい。これは、例えば電子文書がブック原稿である場合に、各ページにおけるヘッダ又はフッタ等の位置が、偶数ページと奇数ページとで異なるからである。
図１２は、奇数ページと偶数ページとで異なる画像領域の画像データを適用して作成された要約画像９０６を例示する図であり、図１２（Ａ）は、偶数ページの要約画像９０６を例示し、図１２（Ｂ）は、奇数ページの要約画像９０６を例示する。
画像表示装置２は、偶数ページの要約画像を作成する場合には、図１２（Ａ）に例示するように、偶数ページに対応する画像領域の符号データを選択（部分画像選択手段による）して復号化し、奇数ページの要約画像を作成する場合には、図１２（Ｂ）に例示するように、奇数ページに対応する画像領域の符号データを選択（部分画像選択手段による）して復号化する。偶数ページに対応する画像領域と奇数ページに対応する画像領域とは、例えば、ページの縦方向の中心線に対して対称な位置にある。
このように、画像表示装置２は、奇数ページ及び偶数ページそれぞれに対応する特定の画像領域（ページ数の表示領域、ヘッダ領域、フッタ領域など）を選択的に復号化して要約画像として表示することができる。
【００８１】
また、画像表示装置２は、自動ページ送りが指示されると、電子文書に含まれる複数のページのうち、一部のページのみを要約画像として連続的に表示してもよい。例えば、部分データ選択部５１０（部分画像選択手段）は、電子文書の各ページの符号データの中から、Ｎページ（Ｎは２以上の整数）ごとに１ページずつページを選択し、選択されたページの符号データを復号化部５２０に対して出力し、復号化部５２０は、これらの符号データを復号化する。連続表示部５３０は、復号化された画像データに基づいて、部分データ選択部５１０により選択されたページを順に表示する。選択されるページの数は、自動ページ送りの速度に応じて増減してもよい。すなわち、画像表示装置２は、自動ページ送りの速度が速いほど、上記Ｎの値を大きくする。
これにより、画像表示装置２は、処理すべきデータ量を削減しつつ、電子文書に含まれるコンテンツの流れを閲覧者に知らせることができる。
【００８２】
なお、画像表示装置２は、自動ページ送りがなされている場合に、一定の速度でページ送りを行ってもよいが、自動ページ送りが開始されてから徐々にページ送りの速度を上げていってもよい。具体的には、連続表示部５３０は、電子文書の各ページに対応する要約画像の切替え速度（すなわち、ページ送りの速度）を、自動ページ送りが開始されてから徐々に速くする。換言すると、連続表示部５３０は、自動ページ送りが開始された直後において、ゆっくりとページ送りを行う。これにより、閲覧者は、自動ページ送りを開始させる操作及び停止させる操作によって、１ページ単位でページを変更することができる。
また、上記実施形態では、画像表示装置２は、ページの確定操作（図５に示した確定ボタン２７４のクリック操作）を基準として、手動補正量を決定しているがこれに限定されるものではなく、例えば、自動ページ送りが停止された時から既定の期間内におけるページの変更量を手動補正量としてもよいし、自動ページ送りが停止された時から次の自動ページ送りが開始されるまでの期間におけるページの変更量を手動補正量としてもよい。
【図面の簡単な説明】
【００８３】
【図１】マルチマスク方式のレイヤ構造を説明する図である。
【図２】ＭＲＣ方式のレイヤ構造を説明する図である。
【図３】本発明にかかる画像表示装置２のハードウェア構成を例示する図である。
【図４】制御装置２０（図２）により実行され、本発明にかかる画像表示方法を実現する閲覧プログラム５の構成を例示する図である。
【図５】ＵＩ装置２６により表示される表示画面を例示する図である。
【図６】履歴ＤＢ５６０に記憶されるページ補正履歴を例示する図である。
【図７】閲覧プログラム５の動作（Ｓ１０）を示すフローチャートである。
【図８】画像表示装置２により表示される電子文書の符号パケットを例示する図であり、（Ａ）は、符号データの先頭に符号パケットごとの符号量がアドレス情報として添付された形態を例示し、（Ｂ）は、各符号パケットの先頭にこの符号パケットの符号量がアドレス情報として添付された形態を例示する。
【図９】各符号パケットに含まれる部分データを説明する図であり、（Ａ）は、電子文書の各ページが画像領域で分割された場合の部分データを例示し、（Ｂ）は、（Ａ）に例示した部分データをさらに周波数で分割した場合の部分データを例示する。
【図１０】符号量に応じた濃度値で要約画像９０２を作成する方法を説明する図であり、（Ａ）は、各ページにおける画像の領域を例示し、（Ｂ）は、各画像領域の符号量に基づいて作成された要約画像９０２を例示する。
【図１１】文字画像のサイズに基づいて作成された要約画像９０４を例示する図である。
【図１２】奇数ページと偶数ページとで異なる画像領域の画像データを適用して作成された要約画像９０６を例示する図であり、（Ａ）は、偶数ページの要約画像９０６を例示し、（Ｂ）は、奇数ページの要約画像９０６を例示する。
【符号の説明】
【００８４】
２・・・画像表示装置
５・・・閲覧プログラム
５００・・・データ取得部
５１０・・・部分データ選択部
５２０・・・復号化部
５３０・・・連続表示部
５４０・・・ＵＩ制御部
５５０・・・ページ決定部
５６０・・・履歴データベース
５７０・・・内容表示部
【図１】
2005346519.tif 000003
【図２】
2005346519.tif 000004
【図３】
2005346519.tif 000005
【図４】
2005346519.tif 000006
【図５】
2005346519.tif 000007
【図６】
2005346519.tif 000008
【図７】
2005346519.tif 000009
【図８】
2005346519.tif 000010
【図９】
2005346519.tif 000011
【図１０】
2005346519.tif 000012
【図１１】
2005346519.tif 000013
【図１２】
2005346519.tif 000014